(57)【要約】【課題】ＯＡ機器等の電機機器の窓開口に取り付けて表示ランプの点灯、消灯を確認するための確認窓用カバーの取り付け構造を、安価かつ簡便なものとする。【解決手段】外装部材１に設ける確認窓開口２０に細口部２１を設ける。透明または半透明の確認窓用カバー４０を、可撓性を有する平板状の基板４１、確認窓開口２０の縁に引っ掛ける係止部４２、細口部２１に嵌入させる突起部４３確認窓開口２０の縁部をはさむ係止突部４４で構成する。確認窓用カバー４０を確認窓開口２０に対して直角に位置させた状態から左右どちらかへ回し、スライドさせ、係止部４２と係止突部４４で確認窓開口２０の縁部をはさみ、突起部４３を細口部２１に嵌めてストッパとする。【選択図】　　　　図３
2004087572.tif 000002
【特許請求の範囲】
【請求項１】
電機機器の外装部材に設けた確認窓開口に、該確認窓開口を覆うとともに該確認窓開口の内側に位置する表示ランプの点、消灯を外部から視認可能とするための透明または半透明の部材からなる確認窓用カバーを取り付ける構造であって、上記確認窓用カバーが、上記確認窓開口を覆う基板部と、上記確認窓開口の二箇所の縁部を上記確認窓用カバーとの間ではさむための係止部を備え、該係止部が、その両端部で上記基板部との間に上記確認窓開口の縁部を挿入可能な隙間を有することを特徴とする電機機器の確認窓用カバー取り付け構造。
【請求項２】
請求項１の電機機器の確認窓用カバー取り付け構造において、上記確認窓開口の一部に他の部位よりも細い開口形状の細口部を有するとともに、上記確認窓用カバーの一側に位置させる部位に上記細口部に嵌着可能な突起部を設け、上記確認窓開口の他側に位置させる上記確認窓用カバーの端部に、上記確認窓開口の縁部を上記確認窓用カバーとの間ではさむ係止突部を有することを特徴とする電機機器の確認窓用カバー取り付け構造。
【請求項３】
請求項２の電機機器の確認窓用カバー取り付け構造において、上記確認窓用カバーが可撓性を有し、上記係止部の上記両端部で上記確認窓開口の縁部をはさんだ状態で上記係止突部が上記確認窓開口の縁部を上記確認窓用カバーとの間ではさむように移動させ、上記突起部を上記細口部に嵌着可能としてなることを特徴とする電機機器の確認窓用カバー取り付け構造。
【発明の詳細な説明】
【０００１】
【発明の属する技術分野】
本発明は、ＯＡ機器等の電機機器に設ける状態表示ランプ確認窓のカバー取り付け構造に関する。
【０００２】
【従来の技術及び発明が解決しようとする課題】
図１は、ＯＡ機器の外装部材に設けた確認窓開口を示す斜視図（Ａ）と、外装部材内に配したＬＥＤ等の表示ランプとその点灯、消灯を外装部材の外から視認できるようにするための確認窓用カバーの配置構造の従来例を示す断面図（Ｂ）である。図中１がＯＡ機器の外装部材、２がその確認窓開口であり、ＬＥＤ等の表示ランプ３は外装部材１の内側に配してあり、確認窓用カバー４は確認窓開口２に取り付けて固定してある。確認窓用カバー４は、表示ランプ３の点、消灯を外装部材１の外側から目視で確認できるようにするため、透明または半透明の部材で形成してある。
【０００３】
ＯＡ機器をはじめとする電機機器の確認窓用カバー取り付けについては、従来より種々の取り付け構成、取り付け方法が提供されているが、本発明は、一般に使用されている状態表示ランプ確認用の確認窓カバーの取り付け構造を、いっそう安価かつ簡便なものとする新規な構造を提供することを目的とする。
【０００４】
【課題を解決するための手段】
本発明の請求項１に係る画像形成装置は、上記目的を達成するために、電機機器の外装部材に設けた確認窓開口に、該確認窓開口を覆うとともに該確認窓開口の内側に位置する表示ランプの点、消灯を外部から視認可能とするための透明または半透明の部材からなる確認窓用カバーを取り付ける構造であって、上記確認窓用カバーが、上記確認窓開口を覆う基板部と、上記確認窓開口の二箇所の縁部を上記確認窓用カバーとの間ではさむための係止部を備え、該係止部が、その両端部で上記基板部との間に上記確認窓開口の縁部を挿入可能な隙間を有することを特徴とする。
【０００５】
同請求項２に係るものは、上記目的を達成するために、請求項１の電機機器の確認窓用カバー取り付け構造において、上記確認窓開口の一部に他の部位よりも細い開口形状の細口部を有するとともに、上記確認窓用カバーの一側に位置させる部位に上記細口部に嵌着可能な突起部を設け、上記確認窓開口の他側に位置させる上記確認窓用カバーの端部に、上記確認窓開口の縁部を上記確認窓用カバーとの間ではさむ係止突部を有することを特徴とする。
【０００６】
同請求項３に係るものは、上記目的を達成するために、請求項２の電機機器の確認窓用カバー取り付け構造において、上記確認窓用カバーが可撓性を有し、上記係止部の上記両端部で上記確認窓開口の縁部をはさんだ状態で上記係止突部が上記確認窓開口の縁部を上記確認窓用カバーとの間ではさむように移動させ、上記突起部を上記細口部に嵌着可能としてなることを特徴とする。
【０００７】
【発明の実施の形態】
以下本発明の実施の形態を図面を参照して説明する。なお以下では従来と共通する部分には共通する符号を付すにとどめ重複する説明は省略する。
【０００８】
図２は本発明に係る電機機器の確認窓用カバー取り付け構造の一実施形態を示し、確認窓開口を示す斜視図（Ａ）、確認窓用カバーの平面図（Ｂ）、背面図（Ｃ）、右側端面図（Ｄ）、左側端面図（Ｅ）及びＸ−Ｘ断面図（Ｆ）である。本実施形態では、ＯＡ機器等の外装部材１に設ける確認窓開口２０の形状を、図示のように長手方向の一端側に、他端側よりも細い開口溝形状の細口部２１を有する形状としてある。
【０００９】
また本実施形態の確認窓用カバー４０は、表示ランプ３の点、消灯を外装部材１の外側から目視で確認できるようにするために透明または半透明の部材で形成してあるとともに、可撓性を有する平板状の基板４１の長手方向略中央部に、確認窓開口２０の縁に引っ掛けるための係止部４２を備えている。この係止部４２は、基板４１の短手方向に伸び、かつ基板４１の短手方向寸法と同一または略同一の長手方向寸法を有する細長い略凸字形状のものであり、両端部４２ａ、４２ａと基板４１の上、下縁との間には隙間ｓが明くようになっている。
【００１０】
確認窓用カバー４０は、一端側に確認窓開口２０の細口部２１に嵌入させ得る円筒状の突起部４３を備え、他端側には確認窓開口２０の縁部を基板４１との間ではさむための断面略Ｌ字状の係止突部４４を備えている。もちろん突起部４３の径寸法は細口部２１の開口径より小さく、また係止突部４４の長手方向寸法は確認窓開口２０の短手方向寸法よりも短い。
【００１１】
図３は上述した確認窓用カバー４０を確認窓開口２０に取り付ける手順を示し、それぞれ取り付け開始状態の正面図（Ａ）と側面断面図（Ｂ）、取り付け途中の正面図（Ｃ）と平面断面図（Ｄ）、及び取り付け終了時の正面図（Ｅ）と平面断面図（Ｆ）である。これらの図に従って、外装部材１に設けた確認窓開口２０に確認窓用カバー４０を装着する方法を説明する。
【００１２】
まず図３（Ａ）に示すように、確認窓用カバー４０を確認窓開口２０に対して直角に位置させ、係止部４２をその長手方向が確認窓開口２０の長手方向に沿うように挿入する。このとき、確認窓開口２０に対する突起部４３と係止突部４４の位置関係は、どちらが上でも、下でもかまわないが、いずれにしても両部４３、４４を備えている部位が確認窓開口２０の外側に位置し、両部４３、４４が外装部材１の外表面にあたるので、基板４１の中央部を押して弓状に撓ませ、係止部４２を確認窓開口２０内に押し込めば図３（Ｂ）に示す状態になる。
【００１３】
この状態から図示の例では確認窓用カバー４０を左回転させる。そして確認窓用カバー４０を略９０度回転させ、図３（Ｃ）、（Ｄ）に示すように係止突部４４を確認窓開口２０内へ入れ、係止部４２の両端部４２ａ、４２ａと基板４１の間の隙間ｓに確認窓開口２０の縁を入り込ませる。このとき、突起部４３は細口部２１内へ入り込めず、依然として外装部材１の外表面にあたったままの状態となる。
【００１４】
その状態から確認窓用カバー４０を係止突部４４が確認窓開口２０の縁に突き当たってその縁を挟む状態になるまでスライドさせる。すると、突起部４３が細口部２１内へ落ち込む。図３（Ｅ）、（Ｆ）はこの取り付け完了状態を示す。この状態になると、確認窓用カバー４０をスライドさせようとしても突起部４３が細口部２１の底に当たってストッパとして働き、細口部２１の反対側では係止突部４４が確認窓開口２０の縁を挟んでいるので、確認窓用カバー４０が確認窓開口２０から外れない。
【００１５】
なお、確認窓用カバー４０を取り外す際は、まず細口部２１の側で基板４１の下にドライバの先端等を入れて基板４１を浮かせ、突起部４３を細口部２１から外し、確認窓用カバー４０を細口部２１側へスライドさせ、係止突部４４を確認窓開口２０の縁から外すとともに基板４１の突起部４３側を外装部材１の上に乗り上げさせる。ついで係止突部４４側で基板４１あるいは係止突部４４の下にドライバの先端等を入れて基板４１を浮かせ、確認窓用カバー４０全体を左右いずれかに回転させる。すると係止突部４４側でも外装部材１の上に乗り上げ、図３に示す状態あるいはその上下逆の状態に戻り、基板４１の弾性により自然に確認窓開口２０から外れる。
【００１６】
【発明の効果】
本発明に係る電機機器の確認窓用カバー取り付け構造は、以上説明してきたようなものなので、ネジ等の締結具無しで簡便に状態表示ランプを確認するための窓開口に取り付けることができ、かつネジ等が不要なので、その分安価にできるという効果がある。
【図面の簡単な説明】
【図１】確認窓開口を示す斜視図（Ａ）と、ＬＥＤ等の表示ランプの点灯、消灯を視認するための確認窓用カバーの配置構造の従来例を示す断面図（Ｂ）である。
【図２】本発明に係る電機機器の確認窓用カバー取り付け構造の一実施形態における、確認窓開口を示す斜視図（Ａ）、確認窓用カバーの平面図（Ｂ）、背面図（Ｃ）、右側端面図（Ｄ）、左側端面図（Ｅ）及びＸ−Ｘ断面図（Ｆ）である。
【図３】図２の実施形態の確認窓用カバーを確認窓開口に取り付ける手順を示す図で、取り付け開始状態の正面図（Ａ）と側面断面図（Ｂ）、取り付け途中の正面図（Ｃ）と平面断面図（Ｄ）、及び取り付け終了時の正面図（Ｅ）と平面断面図（Ｆ）である。
【符号の説明】
１　ＯＡ機器等の外装部材
３　表示ランプ
２０　確認窓開口
２１　細口部
４０　確認窓用カバー
４１　基板
４２　係止部
４２ａ　係止部の端部
４３　突起部
４４　係止突部
ｓ　基板と係止部の端部の隙間
【図１】
2004087572.tif 000003
【図２】
2004087572.tif 000004
【図３】
2004087572.tif 000005